(57)【要約】  様々な実施形態によれば、色度図装置（１００、３００、５００）は以下を有する。複数の互いに異なる基準色（１０２ａ、１０２ｂ、１０２ｃ）を含む色度図（１０２）であって、前記色度図（１０２）は透明または半透明の認識領域（１０４）を有し、それによって毛束の色を取り込むことができる色度図、および前記色度図（１０２）に取り付けられ、または前記色度図（１０２）に一体に形成されたヘアクリップ装置（１０６）であって、該へアクリップ装置は髪色が取り込まれる毛束を前記認識領域にクランプするように配置した装置。
2019514004.tif 000002
【特許請求の範囲】
【請求項１】
−複数の互いに異なる基準色（１０２ａ、１０２ｂ、１０２ｃ）を含む色度図（１０２）であって、前記色度図（１０２）は透明または半透明の認識領域（１０４）を含み、それによって毛束の色を取り込むことができる色度図と、
−前記色度図（１０２）に取り付けられ、または前記色度図（１０２）に一体に形成されたヘアクリップ装置（１０６）であって、該へアクリップ装置は髪色が取り込まれる毛束を前記認識領域にクランプするように配置した装置とを有する
色度図装置（１００、３００、５００）。
【請求項２】
請求項１記載の色度図装置（１００、３００、５００）において、前記認識領域（１０４）は通し穴および／または透明または半透明の材料を含む色度図装置。
【請求項３】
請求項１または２記載の色度図装置（１００、３００、５００）において、前記ヘアクリップ装置（１０６）は閉位置で前記色度図（１０２）を押圧する色度図装置。
【請求項４】
請求項３記載の色度図装置（１００、３００、５００）において、前記ヘアクリップ装置（１０６）によって発生させられる力は前記色度図装置（１００、３００、５００）の重錘力より大きく、その結果前記色度図装置（１００、３００、５００）は当該被認識毛束上で支持される色度図装置。
【請求項５】
請求項１から４いずれか１項記載の色度図装置（１００、３００、５００）において、前記色度図（１０２）は前記色度図（１０２）の位置を認識するための視覚位置認識マークを少なくとも１つ有する色度図装置。
【請求項６】
−色度図装置（１００、３００、５００）を被認識毛束に自立取り付けする工程（８０１）、
−前記色度図装置（１００、３００、５００）を用いて前記被認識毛束の光学色認識を行う工程（８０３）を含む
色認識方法（８００）。
【請求項７】
色度図（１０２）と、前記色度図（１０２）に取り付けられたまたは前記色度図（１０２）に一体形成されたヘアクリップ装置（１０６）とを含む色度図装置（１００、３００、５００）による色認識方法（９００）であって、前記方法は
−前記ヘアクリップ装置（１０６）によって被認識毛束をクランプする工程（９０１）、
−前記色度図装置（１００、３００、５００）を用いて前記被認識毛束の光学色認識を行う工程（９０３）を含む方法。
【請求項８】
請求項７記載の色認識方法（９００）において、前記クランプする工程（９０１）は当該取り込まれる毛束を前記色度図（１０２）に押し付ける工程を含む方法。
【請求項９】
請求項７または８記載の色認識方法（９００）において、前記クランプする工程（９０１）は前記色度図装置（１００、３００、５００）がその重錘力に抗して前記被認識毛束上で支持されるように行われる方法。
【請求項１０】
請求項７または８記載の色認識方法（９００）において、光学色認識を行う工程（９０３）は前記色度図（１０２）および前記被認識毛束の画像データを取り込む工程を含み、それに基づいて光学色認識が行われる方法。
【請求項１１】
請求項７から１０いずれか１項記載の色認識方法（９００）において、更に色認識に基づいて着色剤を決定する工程を含み、該着色剤は前記被認識毛束に塗布することにより仕様に従って色変化を引き起こす方法。
【請求項１２】
請求項７から１１いずれか１項記載の色認識方法（９００）において、色認識はモバイル機器を用いて行われる方法。
【発明の詳細な説明】
【技術分野】
【０００１】
本発明は色度図装置および色認識方法に関する。
【背景技術】
【０００２】
一般に、色度図は異なる照明環境においてはっきりと、確実にそして正確に被認識物体の色を決定するのに用いることができる。従って暗い環境ではあまり飽和していない「オレンジ色」として知覚される物体は大変明るい環境では「茶色」として知覚される。緑色の環境では、該色は「赤みがかった茶色」に見え、赤い環境では「きつね色」に見える。このために、色度図は複数の色視野を有し、それらに基づいて特定の照明環境の影響を補正することができる。
【０００３】
ヘア・カラーの分野では、従来の色度図を用いて被染髪毛髪のそれぞれの色を認識したり、認識した毛髪の色に基づいて適当な毛髪染料を見つけたりしている。色認識がコンピュータ支援である場合、通常評価される当該毛髪のデジタル画像を取り込むことが必要である。
【０００４】
デジタル画像が現在の状況をよりよく再生すればするほど、より確実かつ正確に毛髪の色を認識することができる。例えば、陰影および／被写体ぶれは色認識の精度に影響を及ぼすことがある。このことによって染色した毛髪が望んだ色ではなく、たいてい補正が困難または不可能になる。補正すると毛髪構造に追加の、元に戻せない損傷を引き起こしうる。例えば、さらに毛髪に負担をかける第二の染色工程が必要になることがある。
【発明の概要】
【発明が解決しようとする課題】
【０００５】
様々な実施形態によれば、被染髪者が自分で画像を記録する場合、適当な画像を記録することは特に難しいことがわかっている。例えば、適当な補助がないとカメラを不正確に整列させ得るので、画像は部分的にカラーチャートを再生するにすぎない。あるいはまたは加えて、当該本人は同時に色度図とカメラを持たなければいけない、および／または直感的に頭部をカメラと合わせなければいけないので、被写体ぶれが増えることがある。
【０００６】
当該本人がディスプレイに記録される画像部分を認識するようにカメラがレンズの側に配置されるディスプレイ（例えば、前部カメラ付き携帯電話の場合）を有する場合でも、陰影および／または被写体ぶれを少しも認識できない、または苦労して認識できるにすぎないので被写体ぶれはほとんど減らない。特にディスプレイはヘッドをカメラと合わせることが必要である。また携帯電話のディスプレイを使用するために、たいてい質の悪い前部カメラの使用に順応する必要があり、更に画質を下げることになる。例えば、前部カメラは後部カメラよりも低い解像度および／または低い光効率を有する。
【課題を解決するための手段】
【０００７】
様々な実施形態によれば、確実かつ正確な色認識が容易になる色度図および方法が提供される。被写体ぶれ、不正確な色度図の位置合わせおよび／または陰影が生じる傾向がはっきりと減少する。このことで明らかに画像データの質が向上し、それに基づいて色認識が行われる。従って前部カメラによって正確な色認識に十分な画質を明確に提供することができる。
【０００８】
色度図（例えばカラーチャート）に装着したクリップを有する該色度図(例えばヘアクリップ装置)を明確に提供することができ、それで髪に色度図をはっきりと装着することができる。
【０００９】
様々な実施形態によれば、提供された色度図および提供された方法によって両手で毛髪を撮影するまたはカメラ（例えば該当アプリケーションを有する携帯電話）を使用することが可能になる。つまり、より簡単な色認識処理をもたらすことができる。これによって時間および労力が省かれる。あるいはまたは加えて、カメラを位置固定して持つことができるので、測定結果を歪曲する被写体ぶれを減らすことができる。
【００１０】
例えば、カメラの位置および／または配向性を調製することが容易にできる。これによって、携帯電話の場合、画像データを取り込むのに後部カメラを使うことができるようになるが、後部カメラは例えばその反対側の前部カメラより解像度が高い場合がある。これによって画像データを改善することができる。
【００１１】
あるいはまたは加えて、色度図による（例えば通し穴による）陰影を減らすことができる。このために、ヘアクリップ装置によって、および／または色度図に被認識毛髪（例えば毛束）を少なくとも部分的に（例えば色度図の通し穴を）押圧すことができる。すなわち毛髪を色度図（例えばその通し穴）に押し付けることができるので、色度図自体に起因する陰影を減らすことができる。これによって測定結果を歪曲する陰影を減らすことができる。
【００１２】
様々な実施形態によれば、色度図装置（色認識補助器具ともいうことができる）は以下を有する。複数の互いに異なる基準色を含む色度図であって、前記色度図は透明または半透明の認識領域を含み、それによって毛束の色を取り込むことができる色度図、および前記色度図に取り付けられ、または前記色度図に一体に形成されたヘアクリップ装置であって、該へアクリップ装置は髪色が取り込まれる毛束を前記認識領域にクランプするように配置した装置。
【００１３】
様々な実施形態によれば、色度図はシート状に構成されても、または少なくともシート状部分を有しいてもよい。いくつかの実施形態では、色度図（例えば少なくとも１つのシート状部分）は湾曲していてもよく、または少なくとも湾曲部を有してもよい。あるいはまたは加えて、色度図(例えば少なくとも１つのシート状部分）は平面であってもよく、または少なくとも平面部を有してもよい。
【００１４】
様々な実施形態によれば、色度図の基準色は、色価、スペクトル組成および／または輝度（輝度値ともいうことができる）が互いに異なっていてもよい。
【００１５】
様々な実施形態によれば、色度図は各々が基準色を有する、および／または色価、スペクトル組成および／または輝度が異なる、複数の基準色視野を有してもよい。
【００１６】
色価値、スペクトル組成および／または輝度によって色度図上の反射光の特性を説明することができる。いくつかの異なるスペクトル分布を同じ色価に割り当てることができる。スペクトル分布は、階級に分けられ、その階級が各ケースにおいて知覚されるスペクトル分布を同じ色として集約する場合、色価によってこれらの階級の識別をはっきりと説明できる。各色価は色空間（例えば、HSV色空間またはL*a*b*色空間）中の色位置と関連がある。HSV色空間には、色価（色相ともいうことができる）、色の彩度（彩度ともいうことができる）、および輝度値（値ともいうことができる）が広がる。L*a*b*色空間（Lab色ともいう、CIELABまたはCIEL*a*b*）によってすべての知覚できる色を表現する。L*a*b*色空間によって、装置独立性および知覚関連性を提供することができる。すなわち、それらの製造または複製技術に関わらず、色は基準照明下で、通常の観察者によってそのままに定義される。L*a*b*色空間はEN ISO 11666-4で規格化されている。
【００１７】
様々な実施形態によれば、前記認識領域は通し穴を有してもよい。あるいはまたは加えて、前記認識領域は透明および／または半透明の材料（例えば、固体材料および／または気体状材料）を有してもよい。従って前記認識領域は透明または半透明の気体（例えば空気）を有してもよく、それは通し穴に配置される。
【００１８】
あるいはまたは加えて前記認識領域は透明または半透明の固体（例えばフィルム）を有してもよい。
【００１９】
様々な実施形態によれば、前記ヘアクリップ装置は閉位置で前記色度図、例えば、前記認識領域の端部を押圧する。
【００２０】
様々な実施形態によれば、前記ヘアクリップ装置が発生させる力（クランプ力ともいう）は前記色度図装置の重錘力より大きく、その結果前記色度図装置は当該被認識毛束上で支持される。
【００２１】
様々な実施形態によれば、ヘアクリップ装置は前記被認識毛束を受け入れる復元力に抗して閉位置から開位置へ可動性であってもよい。前記復元力は前記閉位置のクランプ力に相当してもよい。
【００２２】
様々な実施形態によれば、前記閉位置の復元力は、前記色度図装置が前記被認識毛束上で支持されるように前記色度図装置の重錘力より大きくてもよい。
【００２３】
様々な実施形態によれば、前記ヘアクリップ装置は弾力材を有してもよく、および／または復元力を生じさせる弾力材から形成してもよい。
【００２４】
様々な実施形態によれば、前記ヘアクリップ装置は復元力を生じさせる脚部バネを有してもよい。前記脚部バネは前記ヘアクリップ装置の少なくとも１つの脚部を前記色度図および／または前記ヘアクリップ装置のもう１つの脚部に連結することができる。
【００２５】
様々な実施形態によれば、前記ヘアクリップ装置がクランプする力（例えば前記色度図を押圧する力）は前記色度図装置の重錘力より大きく、その結果前記色度図装置は前記被認識毛束上の前記ヘアクリップによって支持される。
【００２６】
様々な実施形態によれば、前記色度図は、該色度図の位置を認識するための視覚位置認識マーク（例えば基準マークおよび／認証マーク）を少なくとも１つ有してもよい。
【００２７】
様々な実施形態によれば、前記ヘアクリップ装置は前記閉位置で互いに押圧し合う２つの脚部を有してもよい。
【００２８】
様々な実施形態によれば、前記ヘアクリップ装置は、前記開位置で前記被認識毛束を受け入れるために移動可能に取り付けられた少なくとも１つの脚部を有してもよい。
【００２９】
様々な実施形態によれば、前記被認識毛束（例えば、ヘアバンドル、ヘアストランド、またはヘアロック）は複数の繊維を有してもよい、または複数の繊維（例えば多数の繊維の束）から形成されていてもよい。複数の繊維は（より糸ということもできる）は互いに整列して（すなわち秩序のある、例えば規則正しくおよび／または櫛で梳いたように）またはランダム状（例えば不規則）に配置してもよい。有機物（例えばケラチン、例えば角質）を有してもよく、または有機物から形成されてもよい。毛束は例えば複数のケラチン繊維（毛髪、角質繊維または毛髪繊維ということもできる。例えば地毛。）を有してもよく、または複数のケラチン繊維から形成されてもよい。あるいはまたは加えて、複数の繊維はプラスチック（例えばポリマー）を有してもよい、またはプラスチッックから形成されてもよい。
【００３０】
様々な実施形態によれば、前記被認識毛束を人に（明らかに、例えば頭上に）つないでいる間、色認識を行うことができる。
【００３１】
様々な実施形態によれば、色認識方法は以下を含んでもよい。
−色度図装置を被認識毛束に自立（例えば摩擦および／または確実なロック）取り付けする工程、
−前記色度図装置を用いて前記被認識毛束の光学色認識を行う工程。
【００３２】
様々な実施形態によれば、色度図と、前記色度図に取り付けられたまたは前記色度図に一体形成されたヘアクリップ装置とを有する色度図装置による色認識方法は以下を含んでもよい。
−前記ヘアクリップ装置によって被認識毛束をクランプする（例えば固定する、すなわち摩擦保持する）工程、
−前記色度図装置を用いて前記被認識毛束の光学色認識を行う工程。
【００３３】
様々な実施形態によれば、前記クランプする工程は当該取り込まれる毛束を前記色度図（例えば前記色度図装置の端部）に押し付ける工程を含んでもよい。
【００３４】
様々な実施形態によれば、前記クランプする工程は、（例えば固定位置）で、前記色度図装置がその重量に抗して前記被認識毛束上で支持されるようにしてもよい。例えば、前記クランプする工程はクランプ力（接触力ということもできる）を用いて行うことができ、前記色度図装置が前記被認識毛束上で摩擦保持されるように配置される。
【００３５】
様々な実施形態によれば、前記光学色認識を行う工程は前記色度図および前記被認識毛束の画像データを取り込む工程を含み、それに基づいて前記光学色認識が行われる。
【００３６】
様々な実施形態によれば、前記色認識方法は更に以下を含んでもよい。
−色認識に基づいて着色剤（着色料または染料ともいうことができる）を決定する工程であって、該着色剤は前記被認識毛束に塗布することにより仕様に従って（前記被認識毛束の）色変化を引き起こす。
【００３７】
様々な実施形態によれば、前記着色剤は減色法において前記被認識毛束に重ねて所定の配色を出す二次色を有してもよい。
【００３８】
様々な実施形態によれば、色認識はモバイル機器を用いて行ってもよい。
【００３９】
様々な実施形態によれば、前記色認識方法は前記認識領域および/または前記被認識毛束を表す画像データを取り込む工程を含んでもよい。
【００４０】
様々な実施形態によれば、前記色認識を行う工程は例えば画像データに基づいて前記被認識毛束の色を決定する工程を含んでもよい。
【００４１】
様々な実施形態によれば、前記色認識を行う工程は、前記被認識毛束の色（色価ということもできる）を前記色度図、例えば前記色度図の１つまたは複数の基準色と比較する工程を含んでもよい。その比較に基づいて、前記被認識毛束および/または前記基準色の色の歪曲を表す補正情報を決定することができる。
【００４２】
様々な実施形態によれば、前記色認識を行う工程は、前記色度図装置の少なくとも１つの位置認識マークに基づいて前記色度図装置の配置（すなわち位置および/または配向性）を決定する工程を含んでもよい。
【００４３】
本発明の実施形態を図に示し、以下により詳細に説明する。
それらは示す。
【図面の簡単な説明】
【００４４】
【図１Ａ】様々な実施形態による色度図装置を様々な概略図で示す。
【図１Ｂ】様々な実施形態による色度図装置を様々な概略図で示す。
【図２Ａ】様々な実施形態による色度図装置を様々な概略図で示す。
【図２Ｂ】様々な実施形態による色度図装置を様々な概略図で示す。
【図３Ａ】様々な実施形態による色度図装置を様々な概略図で示す。
【図３Ｂ】様々な実施形態による色度図装置を様々な概略図で示す。
【図４Ａ】様々な実施形態による色度図装置を様々な概略図で示す。
【図４Ｂ】様々な実施形態による色度図装置を様々な概略図で示す。
【図５Ａ】様々な実施形態による色度図装置を概略断面図で示す。
【図５Ｂ】様々な実施形態による色度図装置を概略断面図で示す。
【図５Ｃ】様々な実施形態による色度図装置を概略断面図で示す。
【図６】様々な実施形態による色度図装置を概略上面図で示す。
【図７】様々な実施形態による色度図装置を概略上面図で示す。
【図８】様々な実施形態による方法を概略フローチャートで示す。
【図９】様々な実施形態による方法を概略フローチャートで示す。
【図１０】様々な実施形態による方法を概略フローチャートで示す。
【図１１】様々な実施形態による方法を概略フローチャートで示す。
【図１２】様々な実施形態による方法を概略フローチャートで示す。
【図１３】様々な実施形態による方法を概略斜視図で示す。
【図１４Ａ】様々な実施形態による色度図装置を概略斜視図で示す。
【図１４Ｂ】様々な実施形態による色度図装置を概略斜視図で示す。
【図１５】様々な実施形態による色度図装置を概略斜視図で示す。
【発明を実施するための形態】
【００４５】
以下の詳細な記載では、本発明の一部を構成し、本発明を実施することができる具体的な実施形態が例示によって示された添付図面について述べる。この件について、「上」、「下」、「前」、「後ろ」等の方向を示す用語は、記載された図面の位置を参照して用いられる。実施形態の構成要素を様々な位置に配置することができるので、方向を示す用語は例示的であって、決して限定されない。本発明の範囲を逸脱しない範囲で他の実施形態を利用し、構造的または論理的変更を行うことができることを理解すべきである。特に具体的に明記しない限り、本明細書中の様々な例示実施形態の特徴を組み合わせることができることを理解すべきである。従って以下の詳細な説明は限定された意味と考えるべきではなく、本発明の範囲は添付の請求項によって規定される。
【００４６】
本明細書では、用語「connected」および「coupled」は直接または間接的な結び付き、直接または間接的な接続、および直接または間接的な連結の双方を説明するのに用いられる。同一のまたは類似の要素には図中適宜同一参照番号が付される。
【００４７】
様々な実施形態によれば、色取り込みアプリケーション（色取り込みアプリともいうことができる）の１つを用いることで消費者（人）の髪色を取り込むことができる。色取り込みアプリを配置して画像データを処理することができる。例えば、（髪の）写真を撮って画像データを取り込むことができる。
【００４８】
画像データを取り込むために（自らの自毛をはっきりと撮影するために）従来のカラーチャートを片手で持ち、もう一方の手で写真を撮らなければいけない。これはカラーチャートの正確な位置合わせおよび／または整列を要するので、このことで当該生え際を取り込むことが難しくなる。更に、画像取り込みの際従来のカラーチャートが滑り落ちることがあり、被写体ぶれのために画像データが劣化するおよび／または、例えばこのことでカラーチャートを十分に再生しない場合、使用できない画像データになる可能性がある。従来のカラーチャートによる画像の取り込みはカメラの側にディスプレイが配置されていない、例えばカメラがディスプレイを有していないおよび／または携帯電話（例えばスマートフォン）が前方カメラを有していない場合に特に難しくなることがある。更に、従来のカラーチャートを髪の上に載せることができるだけなので、例えばカラーチャートの穴（通し穴ということもできる）のせいで陰影が増える。これらの陰影は測定結果を歪曲し得る。
【００４９】
図１Ａは様々な実施形態による色度図装置１００を概略平面図（例えば色度図装置１００の第１側１００ｏ）で示し、図１Ｂは色度図装置１００を概略断面図（例えば断面１１１）または（例えば方向１０３に沿った）側面図で示す。
【００５０】
様々な実施形態によれば、色度図装置１００（色認識補助器具とも呼ばれる）は色度図１０２を有してもよい。色度図１０２は互いに異なる複数の（例えば、３色または３色より多い）基準色１０２ａ、１０２ｂ、１０２ｃを有してもよい。例えば、色度図１０２は色の異なる複数の色視野（基準色視野とも呼ばれる）を有してもよい。各基準色視野は基準色１０２ａ、１０２ｂ、１０２ｃのうちの一色を有してもよい、または基準色１０２ａ、１０２ｂ、１０２ｃのうちの一色から形成してもよい。
【００５１】
基準色１０２ａ、１０２ｂ、１０２ｃは色度図装置１００の第１側１００ｏ（明らかに上面）に配置してもよい。例えば、色度図１０２は基準色１０２ａ、１０２ｂ、１０２ｃを配置する上にシート状の支持体５０２ａ（表面要素ともいう、例えばカード）を有してもよい。支持体５０２ａは平坦、例えば図１Ａおよび図１Ｂに示すように板状であってよい。あるいはまたは加えてシート状支持体５０２ａは湾曲部を有してもよく、湾曲部から形成されてもよく、またはそれとは異なった方法で成形してもよい。
【００５２】
様々な実施形態によれば、色度図装置１００は透明または半透明の認識領域１０４を有してもよい。毛束の色は認識領域１０４で取り込むことができる。認識領域１０４は、例えば色度図１０２のシート状支持体５０２ａを通って、色度図１００の第１側１００ｏから色度図１００の第２側１００ｕ（明らかに底面側１００ｕ）までおよんでもよい。
【００５３】
さらに、色度図装置１００は色度図１０２に取り付けられたヘアクリップ装置１０６を有する。ヘアクリップ装置１０６は色度図１０２の第２側１００ｕに配置してもよい。色度図１０２の第２側１００ｕは色度図１０２第１側の反対側にあってもよい。ヘアクリップ装置１０６は、例えば毛束が認識領域１０４から見えるように毛束を留めるように配置されてもよい。
【００５４】
様々な実施形態によれば、認識領域１０４は通し穴を有してもよい。あるいはまたは加えて認識領域１０４は透明または半透明の固体、例えば透明または半透明のフィルム、を有してもよい。
【００５５】
様々な実施形態によれば、ヘアクリップ装置１０６を閉位置から開位置に至らせ復元力（図１Ｂに示す）に抗して開ける１１３ことができる。開位置では、毛束は色度図装置１００中（例えば、ヘアクランプ装置１０６と色度図１０２との間）に挿入することができる。
【００５６】
例えば、ヘアクリップ装置１０６は色度図１０２（例えば色度図の認識領域１０４）から離れて動いて復元力に抗してヘアクリップ装置１０６を開ける１１３脚部１０６ｓを少なくとも１つ有してもよい。従って、（例えば人と一体の）毛束をヘアクリップ装置１０６の脚部１０６ｓと色度図１０２（例えば色度図１０２の認識領域１０４）との間に挿入することができる隙間１０６ｄを形成することができる。明らかにヘアクリップ装置１０６によって毛束を、例えば人に合わせることができる。
【００５７】
ヘアクリップ装置１０６の脚部１０６ｓは色度図１０２に取り付けることができる。例えば、ヘアクリップ装置１０６の脚部１０６ｓは色度図１０２に弾性配置および／または弾性装着することができる。例えば、ヘアクリップ装置１０６の脚部１０６ｓまたはその部分は弾力材、例えば弾性プラスチック（例えばエラストマー）を有してもよく、および／または弾力材から形成してもよい。従って、ヘアクリップ装置１０６の脚部１０６ｓによって復元力を発生させることができる。脚部１０６ｓのバネ定数（ある場合）は色度図１０２のバネ定数より小さくてもよい。
【００５８】
図２Ａは様々な実施形態による色度図装置２００を概略平面図で示し、図２Ｂは色度図装置２００を概略断面図（例えば断面１１１）または（例えば方向１０３に沿った）側面図で示す。例えばクランプ位置にある色度図１０２。
【００５９】
様々な実施形態によれば、ヘアクリップ装置１０６は（図２Ｂに示す）閉じる１１３復元力によってクランプ位置に至ることができる。クランプ位置は明らかに閉位置と開位置との間に存在し得る。
【００６０】
様々な実施形態によれば、閉位置では、（例えば毛束２０２が挿入されていない場合）、ヘアクリップ装置を色度図１０２（例えば認識領域１０４）に押し付けることができる。毛束２０２が色度図装置２００に挿入されている場合、クランプ位置にあるヘアクリップ装置１０６は毛束２０２を色度図１０２（例えば認識領域１０４）に押し付けることができる。従って認識領域１０４からの毛束の距離を縮めることができ、陰影が少なくなる。明らかに色度図１０２に押し付けられる毛束を色度図１０２上に載せることができる。
【００６１】
図３Ａは様々な実施形態による色度図装置３００を概略平面図で示し、図３Ｂは色度図装置３００を概略断面図（例えば断面１１１）または（例えば方向１０３に沿った）側面図で示す。
【００６２】
色度図装置３００は本明細書中で説明される色度図装置１００、６００、２００、４００、５００、５００ａ、５００ｂ、７００、１３０４、１４００に類似していてもよい。
【００６３】
色度図装置３００は互いに異なる複数の基準色１０２ａ、１０２ｂ、１０２ｃ、１０２ｄ（例えば、４色または４色より多い）を有してもよい。
【００６４】
色度図装置３００は色度図１０２に一体に形成されたヘアクリップ装置１０６を有してもよい。例えばヘアクリップ装置１０６は色度図１０２のシート状支持体５０２ａの一部であってもよい。
【００６５】
例えば、色度図１０２は、色度図１０２が折り曲げ可能に配置される折り畳み領域３０２を有してもよい。例えば、ヘアクリップ装置１０６は、色度図１０２を折り曲げること２０１によって開位置に至ることができるように配置してもよい（図３Ｂに示す）。開位置では、色度図装置３００に間隙１０６ｄを形成することができる。間隙１０６ｄを配置して毛束を受け入れることができる。明らかに、ヘアクリップ装置１０６は開位置のタブを有してもよく、および／またはヘアクリップ装置１０６にはタブを形成してもよい。例えば、タブは色度図１０２（例えばカード）から形成される。
【００６６】
閉位置では、例えばヘアクリップ装置１０６は折り畳み領域３０２を有する平面２１１内、例えば認識領域１０４内に位置してもよい。色度図１０２を折り畳むことによって、ヘアクリップ装置１０６を平面２０１または認識領域１０４から移動することができ、通し穴が認識領域１０４に形成される。
【００６７】
任意に、ヘアクリップ装置１０６はバネ（例えば脚部バネ）を有してもよく、またはバネから形成してもよく、バネは色度図装置３００が撓むと、閉位置から復元力を発生させる。あるいはまたは加えて、バネは折り畳み領域３０２に、例えば折り畳み領域３０２に物理的に接触して配置してもよい。あるいはまたは加えて、ヘアクリップ装置１０６および／または色度図１０２（例えばその折たたみ領域３０２）は弾力材、例えばバネ−弾性ポリマー、を有してもよく、または弾力材から形成してもよい。
【００６８】
図４Ａは様々な実施形態による色度図装置４００を概略平面図で示し、図４Ｂは色度図装置４００を概略断面図（例えば断面１１１）または（例えば方向１０３に沿った）側面図で示す。例えば挿入された毛束２０２付きの色度図装置３００。
【００６９】
毛束２０２が色度図装置４００に挿入されている場合、ヘアクリップ装置１０６はクランプ位置（例えば認識領域１０４）で毛束２０２を色度図１０２に押し付けることができる。従って毛束２０２の認識領域１０４からの距離を縮めることができ、陰影が少なくなる。
【００７０】
図５Ａから図５Ｃはそれぞれ様々な実施形態による色度図装置５００（ａからｃ）を概略断面図（例えば断面１１１）または（例えば方向１０３に沿った）側面図で示す。
【００７１】
色度図装置５００ａの色度図１０２は第１（例えばシート状）支持体５０２ａを有してもよく、色度図装置５００ａのヘアクリップ装置１０６は第２（例えばシート状）支持体５０２ｂを有してもよく、これらは端部５０２ｅで、例えば一体となって接続される。第１支持体５０２ａおよび第２支持体５０２ｂは、例えば端部５０２ｅを互いに動かすことによって湾曲させると色度装置５００ａを開ける１１３ことができる。毛束は第１支持体と第２支持体との間に形成された間隙１０６ｄで受け入れることができる。例えば、第１支持体および第２支持体は同じ弾力材、例えば弾性ポリマー（例えばエラストマー）でできていてもよく、および／またはフィルム状であってもよい。
【００７２】
色度図装置５００ｂの色度図１０２は支持体５０２ａを有してもよい。色度図装置５００ｂのクリップ装置１０６はヒンジ１０６ｇおよびヒンジ１０６ｇによって色度図１０２に連結される（接続される）脚部１０６ｓを有してもよい。脚部１０６ｓは色度図１０２に対して枢動して色度図装置５００ａを開ける１１３ことができる。つまりヒンジ１０６ｇは脚部１０６ａを枢支できる。毛束は色度図１０２と脚部１０６ｓとの間に形成された間隙１０６ｓに挿入してもよい。脚部１０６ｓはヒンジを超えて突出するレバー１０６ｈ（ハンドル１０６ｈということもできる）を有するので、色度図装置５００ｂを開き１１３やすくすることができる（すなわち、復元力を乗り越える）。
【００７３】
色度図装置５００ｃのヘアクリップ装置１０６はヒンジ１０６ｇによって互いに接続される第１脚部１０６ｓおよび第２脚部１１６ｓを有してもよい。第２脚部は色度図装置５００ｂの色度図１０２に取り付ける（例えば、接着するおよび／またはリベットで留める）ことができる。ヘアクリップ装置１０６を色度図１０２に接着するために、硬化接着剤（すなわち固化機構を有する接着剤）に加えて、粘着剤（すなわち固化機構を持たない接着剤）を代わりにまたは追加で用いることができる。例えば、粘着剤は、色度図装置５００ｃおよび／または第１脚部１０６ｓなどの支持体材料の塗布後に塗布することができ、依然として高粘度で永久的に粘着性があり、永久的にこれらを接合する。
【００７４】
第１脚部１０６ｓは第２脚部１１６ｓに対して枢動して色度図装置５００ａを開くことができる。すなわち、ヒンジ１０６ｇは第２脚部に対して第１脚部１０６ｓを枢支することができる。毛束は支持体５０２ａと脚部１０６ｓとの間に形成された間隙１０６ｄで受け入れることができる。第１脚部１０６ｓおよび第２脚部１１６ｓはそれぞれヒンジを超えて突出するレバー１０６ｈ（ハンドル１０６ｈともいうことができる）を有するので、色度図装置５００ｂを開き１１３やすくすることができる。第２脚部１１６ｓは色度図１０２を安定させることができる。従って色度図１０２を曲げないでより大きな復元力を得ることができる。あるいはまたは加えて、より薄い色度図１０２を用いることができる。
【００７５】
様々な実施形態によれば、色度図装置５００ｂのヒンジ１０６ｇおよび／または色度図装置５００ｃはバネ（例えば脚部バネ）を有してもよい。バネは復元力を発生させるように配置することができる。バネは弾力材、例えばバネ−弾性金属、を有してもよく、または弾力材から形成してもよい。バネのバネ定数はヘアクリップ装置１０６および／または色度図１０２（ある場合）の脚部１０６ｓ、１１６ｓ（ある場合）のバネ定数より小さくてもよい。
【００７６】
様々な実施形態によれば、ヘアクリップ装置１０６は復元力を発生させる脚部バネを有してもよい。脚部バネはヘアクリップ装置１０６の少なくとも１つの脚部１０６ｓを色度図１０２および／またはヘアクリップ装置１０６のもう１つの脚部１１６ｓに連結することができる（弾性バネ）。
【００７７】
図６は様々な実施形態による色度図装置３００の概略平面図（例えば色度図装置６００の第１側１００ｏ）を示す。
【００７８】
様々な実施形態によれば、ヘアクリップ装置１０６が発生させる力（接触力ということもできる）および／またはヘアクリップ装置１０６が毛束２０２を押し付ける力は、色度図装置６００の重錘力６０２より大きくてもよい。従って色度図装置６００はクランプされた毛束２０２上で支持されている。あるいはまたは加えて、ヘアクリップ装置１０６は（明らかに頭上に引っ掛かるように）クランプされた毛束２０２を貫通する１つまたは複数の歯（例えば鋸歯状輪郭）を有してもよい。これによってクランプ作用および／または毛束上の色度図装置の保持を改善することができる。
【００７９】
様々な実施形態によれば、閉位置のヘアクリップ装置１０６の復元力が０より大きくなるようにヘアクリップ装置１０６を付勢してもよい。例えば、閉位置のヘアクリップ装置１０６の復元力は色度図装置６００の重錘力６０２より大きくてもよい。クランプ位置のヘアクリップ装置１０６の復元力は、閉位置のヘアクリップ装置１０６の復元力より大きくてもよい。
【００８０】
様々な実施形態によれば、色度図装置６００はヘアクリップ装置１０６によって毛束２０２に取り付けることができる、例えば自立取り付けである。
【００８１】
図７は様々な実施形態による色度図装置７００の概略平面図（例えば色度図装置７００の第１側１００ｏ）を示す。
【００８２】
様々な実施形態によれば、色度図１０２は少なくとも１つの視覚位置認識マーク７０２（例えば１つ、２つ、３つ、４つ、４つより多い位置認識マーク７０２）を有してもよい。色認識に用いられる（例えばコンピュータを使った）色認識装置を配置して該少なくとも１つの位置認識マーク７０２を認識することができる。
【００８３】
各位置認識マーク７０２は該少なくとも１つの位置認識マーク７０２内のみに現れる特定のパターンを有してもよい。従って各位置認識マーク７０２の固有の認識および／または識別が可能となる。
【００８４】
様々な実施形態によれば、位置認識マーク７０２は対称性を有してもよい（すなわち、対称操作によって互いに変換し合える）。例えば位置認識マーク７０２はミラー対称の多角形（例えば矩形）、内接多角形、または正多角形の頂点に配置してもよい。
【００８５】
様々な実施形態によれば、少なくともいくつか（すなわちいくつかまたはすべて）の基準色１０２ａ、１０２ｂ、１０３ｃは位置認識マーク７０２間および／またはミラー対称の多角形内に配置することができる。例えば複数の位置認識マーク７０２は基準色１０２ａ、１０２ｂ、１０３を囲んでもよい（フィールド境界ともいうことができる）。
【００８６】
例えば、少なくとも２つの位置認識装置は互いに異なっていてもよい。従って、色度図１０２の配向性を認識することができる。あるいはまたは加えて、ミラー対称多角形の少なくとも１つの角は位置認識マーク７０２がなくてもよい。従って、色度図１０２の配向性を認識することができる。
【００８７】
色度図装置７００の少なくとも１つの位置認識マーク７０２は基準マーク（参照マークともいうことができる）であってもよく、および／または基準マークから形成してもよい。基準マークは認識装置のインクリメンタルエンコーダーのローカルゼロ点を表すことができる。基準マークはその機能が視覚ピッチサークルの目盛りのゼロ点または０度目盛り線に相当する。
【００８８】
あるいはまたは加えて、色度図装置７００の少なくとも１つの位置認識マーク７０２は認証マークを有してもよく、または認証マークから形成してもよい。認証マークによって色度図装置７００（例えば色度図１０２）の識別が可能になる。例えば、認証マークに基づいて、色度図装置７００の種類を認識することができる。あるいはまたは加えて、認証マークによってはっきりと個別に色度図１０２を割り当てることができる（例えば連番）。
【００８９】
例えば、色度図１０２はちょうど３つの（例えば同じ）位置認識マーク７０２をフィールド限界の長方形の四角に有してもよい（例えばフィールド限界の長方形の第４角は位置認識マーク７０２がなくてもよい、または基準マークを有してもよい）。色認識装置は色度図１０２の配向性（すなわち方向性）を、欠けている位置認識マーク７０２または第４角の基準マークによって認識することができる。基準色１０２ａ、１０２ｂ、１０３ｃの数が増えるにつれて、色度図１０２の配向性をより認識できるように更に位置認識マーク７０２を追加してもよい。
【００９０】
２つの位置認識マーク７０２（主要位置マークともいうことができる）の相対的な互いの位置関係（例えば、互いの距離）は基準色１０２ａ、１０２ｂ、１０３ｃ（基準色視野）の配置に相関していてもよい。これによって基準色を認識するのが容易になる。
【００９１】
図８は様々な実施形態による色認識方法８００を概略フロー図で示す。
【００９２】
様々な実施形態によれば、色認識方法８００は８０１において、色度図装置を被認識毛束に自立取り付けする工程を含んでもよい。あるいはまたは加えて、色認識方法８００は８０１において、色度図装置を被認識毛束に摩擦取り付けする工程を含んでもよい。
【００９３】
更に、色認識方法８００は８０３において、色度図装置を用いて被認識毛束の光学色認識を行う工程を含んでもよい。
【００９４】
光学色認識は上記のように準備することができる。
【００９５】
図９は様々な実施形態による色認識方法９００を概略フロー図で示す。
【００９６】
様々な実施形態によれば、色認識方法９００は様々な実施形態による色度図装置によって行ってもよい。色度図装置は少なくとも１つの色度図および色度図に取り付けられた、または色度図に一体に形成されたヘアクリップ装置を有してもよい。
【００９７】
様々な実施形態によれば、色認識方法９００は９０１において、被認識毛束をヘアクリップ装置によってクランプする工程を含んでもよい。
【００９８】
更に、色認識方法９００は９０３において、色度図装置を用いて被認識毛束の光学色認識を行う工程を含んでもよい。
【００９９】
光学色認識は上記のように準備することができる。
【０１００】
図１０は様々な実施形態によるクランプおよび／または取り付け方法１０００を概略フロー図で示す。例えば、色認識方法８００による色度図装置を被認識毛束に自立取り付けする工程８０１および／または色認識方法９００によるヘアクリップ装置を用いた被認識毛束をクランプする工程。
【０１０１】
様々な実施形態によれば、クランプおよび／または取り付け方法１０００は１００１において、当該取り込まれる毛束を色度図、例えば色度図の端部、に押し付ける工程を含んでもよい。これによって陰影を少なくすることができる。例えば当該毛束を認識領域に押し付ける、および／または少なくとも部分的に認識領域に圧入することができる。認識領域が透明または半透明の表面要素を有する場合（例えばフィルムまたはグリッド）、当該毛束を表面要素に押し付けることができる。
【０１０２】
任意に、クランプおよび／または取り付け方法１０００は１００３において、色度図装置をその重量に抗して自立支持させる工程を含んでもよい。
【０１０３】
任意に、クランプおよび／または取り付け方法１０００は１００５において、ヘアクリップ装置と当該毛束との間に（例えばヘアクリップ装置の歯によって）ぴったり合う接続部を形成する工程を含んでもよい。
【０１０４】
任意に、クランプおよび／または取り付け方法１０００は１００７において、当該毛束の生え際を認識領域に（すなわち、少なくとも部分的に認識領域の端部に、および／または部分的に認識領域中に）配置する工程を含んでもよい。例えば、生え際が認識領域から見えてもよい。そういうわけで、画像データは生え際を表すことができる。例えば生え際上に配置されるように色度図を配置することができる。
【０１０５】
生え際ははっきりと染色されていなくてもよい。従って自毛の色の決定が容易にできる。例えば、当該毛束の認識領域は色差を有してもよい。
【０１０６】
図１１は、例えば色認識方法８００に従って、および／または色認識方法９００に従って、光学色認識を行う方法１１００を概略フロー図で示す。
【０１０７】
様々な実施形態によれば、光学色認識を行う方法１１００は１１０１において、色度図および当該毛束の画像データを取り込む工程を含んでもよい。光学色認識は画像データに基づいて行うことができる。
【０１０８】
様々な実施形態によれば、画像データを取り込む工程は、（例えば反射測定において）色度図および毛束から反射された光を取り込む工程を含んでもよい。光は可視領域の波長、例えば約３８０ナノメートル（ｎｍ）から約７８０ナノメートル、を有してもよい。反射は拡散反射（減衰）および／または指向性反射として理解することができる。減衰は（反射の法則に従った）規則正しい指向反射と対照的に（無向の）拡散反射光として理解することができる。
【０１０９】
また、光学色認識は反射光に基づく画像データを提供する工程を含んでもよい。言い換えれば、画像データは反射光を表すことができる。
【０１１０】
更に、光学色認識を行う方法１１００は１１０３において、例えば、色度図１０２の少なくとも１つの位置認識マークを用いた画像データに基づいて色度図（例えば、その認識領域および／またはその基準色）を認識する工程を含んでもよい。
【０１１１】
更に、光学色認識を行う方法１１００は１１０３において、色情報を画像データに基づいて、各基準色および／または認識領域（例えば、スペクトル分布および／または色価）に割り当てる工程を含んでもよい。光の色価によって、光の色に敏感な目の感覚細胞に対する効果を説明することができる。光に存在しているスペクトル色についての完全な情報を含むスペクトル分布とは対照的に、色価は３つの値で表すことができる情報に限定され、その情報は光が目の中で引き起こす色感覚に対して明白である。
【０１１２】
基準色は基準色情報を有するまたは表すことができる。明らかに、色情報は外的影響に起因して歪曲することがあり、基準色情報と異なる場合がある。
【０１１３】
更に、光学色認識を行う方法１１００は１１０５において、画像データ（基準色）に基づいて補正情報を決定する工程を含んでもよい。補正情報によって色情報と基準色情報との違いを表すことができる。補正情報によって、（例えば、外的影響に起因する）当該歪曲をはっきりと説明することができる。様々な実施形態によれば、光学色認識は、基準色情報と色情報との比較に基づいて、基準色の各々に関する補正情報を決定する工程を含んでもよい。
【０１１４】
更に、光学色認識を行う方法１１００は１１０７において、補正情報および認識領域の色情報に基づいて髪色情報（髪色ともいうことができる、例えばスペクトル分布および／または毛束の色価）を決定する工程を含んでもよい。明らかに、当該決定された（例えば歪曲された）髪色を補正することができる。
【０１１５】
あるいはまたは加えて、光学色認識を行う方法１１００は１１０９において、補正情報に基づいて取り込んだ（例えば歪曲された）画像データを補正する工程を含んでもよい。その結果、補正されたイメージデータ（補正イメージデータということもできる）に基づいて髪色情報を決定することができる。
【０１１６】
図１２は様々な実施形態による光学色認識を行う方法１２００を概略フロー図で示す。
【０１１７】
様々な実施形態によれば、光学色認識を行う方法１２００は１２０１において、色認識方法８００および／または色認識方法９００を含んでもよい。
【０１１８】
更に、光学色認識を行う方法１２００は１２０３において、色認識に基づいて着色剤を決定する工程を含んでもよく、該着色剤は被認識毛束に塗布することにより仕様に従って被認識毛束の色変化を引き起こす。例えば着色剤は様々な所定の着色剤から選択してもよい。
【０１１９】
任意に、光学色認識を行う方法１２００は１２０５において、モバイル機器（モバイル色認識装置ということもできる）を用いて色認識を行う工程を含んでもよい。モバイル機器は少なくとも１つの画像取り込み装置（例えば、１つの画像取り込み装置および／または２つの画像取り込み装置）、例えば少なくとも１つのカメラ、およびディスプレイ装置、例えば電子ディスプレイ、を有してもよい。
【０１２０】
更に、モバイル機器は光学色認識を行うように準備されたプロセッサを有してもよい。任意に、モバイル機器は光学色認識を表すコード部分を有するメモリー（例えば不揮発性）を有してもよい。プロセッサはコード部分を処理するように準備してもよい。任意に、コード部分は基準色情報を表すことができる。そういうわけで複数種の着色剤から１種の着色剤を決定するようにプロセッサを準備してもよく、該着色剤は被認識毛束に塗布することにより仕様に従って色変化を引き起こす。
【０１２１】
任意に、モバイル機器は無線接続を提供するように準備されたコントローラ（例えばマイクロコントローラ）を有してもよい。セルラー長距離無線通信技術（例えばセルラー接続）および／または短距離無線通信技術（例えばブルートゥース（登録商標））に従って、コントローラを無線資源に物理的アクセスを提供するように準備してもよい。例えば、コントローラは信号（例えばデータ）を通信技術によって送信するおよび／または受信するためのトランスポンダ、およびトランスポンダを制御するためのトランスポンダ回路を有してもよい。例えば、セルラー接続および／または短距離無線データ送信を提供するように、コントローラを準備してもよい。
【０１２２】
様々な実施形態によれば、例えばモバイルオペレーティングシステム環境において、プロセッサはアプリケーションプロセッサを有してもよい、および／またはアプリケーションプロセッサから形成されてもよい。１つまたは複数のアプリケーション（アプリともいうことができる）をサポートするようにアプリケーションプロセッサを準備してもよい。
【０１２３】
様々な実施形態によれば、モバイル機器は、ハンドヘルドコンピュータ（例えばスマートフォンおよび／またはタブレットコンピュータ）またはノート型パソコンを有してもよい、またはハンドヘルドコンピュータ（例えばスマートフォンおよび／またはタブレットコンピュータ）またはノート型パソコンから形成されてもよい。モバイル機器はエネルギー蓄積（例えばアキュムレータおよび／またはバッテリー）を有してもよい。
【０１２４】
任意に、光学色認識を行う方法１２００は１２０７において、認識領域を通して画像データを取り込む工程を含んでもよく、該領域で被認識毛束がクランプされる。
【０１２５】
図１３は、例えば色認識方法８００に従って、および／または色認識方法９００に従って光学色認識を行う方法１３００を示す。
【０１２６】
。
様々な実施形態によれば、色度図装置１３０４（例えば本明細書中で記載される色度図装置の１つ）を人１３０２の毛束に取り付けてもよい。色度図装置１３０４は自立取り付けできる。更に、毛束に装着した色度図装置１３０４の画像データを取り込むことができる。画像データの取り込み１３０６は、画像取込み装置（例えばカメラ）を有する（例えばモバイル）色認識装置１３０８によって行うことができる。
【０１２７】
色度図装置１３０４によって明らかに両手での毛髪の撮影またはカメラ（例えば、対応アプリケーションを有する携帯電話）の使用が可能になる。
【０１２８】
色度図装置１３０４は第２側１００ｕが毛束の方を向いて整列してもよい。色度図装置１３０４は第１側１００ｏが色認識装置１３０８の方を向いて整列してもよい。画像データの取り込みは認識領域１０４を用いて行うことができる。例えば、毛束は認識領域１０４から見えてもよい、および／または、例えば、部分的に認識領域１０４を貫通して延びていてもよい。
【０１２９】
図１４Ａは様々な実施形態による色度図装置１４００を概略斜視図（例えば色度図装置１４００の第１側１００ｏ）で示し、図１４Ｂは色度図装置１４０を概略斜視図（例えば色度図装置１４００の第２側１００ｕ）で示し、図１５は色度図装置１５００を概略斜視図（例えば色度図装置１５００の第２側１００ｕ）で示す。
【０１３０】
様々な実施形態によれば、色度図１０２は複数の基準色１０２ａ、１０２ｂ、１０２ｃ（例えば基準色視野）を有してもよい。基準色１０２ａ、１０２ｂ、１０２ｃはマトリックス状に配置してもよい。マトリックスははっきりと複数の色視野を有してもよく、その各々は基準色１０２ａ、１０２ｂ、１０２ｃを有する。あるいはまたは加えて、色度図１０２は１または複数の輝度値諧調値中に色相を少なくとも１つ有することができる。つまり、基準色１０２ａ、１０２ｂ、１０２ｃの例えば少なくとも２つは輝度値（例えば色彩輝度値）が異なることがある。あるいはまたは加えて、基準色１０２ａ、１０２ｂ、１０２ｃの例えば少なくとも２つは色相および／または彩度が異なることがある。
【０１３１】
各基準色１０２ａ、１０２ｂ、１０２ｃは基本色相によって定義してもよい。例えば色度図１０２は基準色として１つまたは複数の天然の色相（例えば、茶色、オリーブグリーン色、ベージュ色、白色）を有してもよい。天然の色相はカレー色、蜂蜜色、キャラメル色、砂色、ラテ色、コーン色、チョコレート色、ココア色、タバコ色、コニャック色、銅色、真鍮色、栗色、からし色、らくだ色などの別の名前で分類してもよい。
【０１３２】
色度図１０２（例えばマトリックス）は３つ以上、例えば５つ以上、例えば１０以上、例えば１５以上、例えば２５以上、例えば５０以上、例えば１００以上の基準色（例えば基準色視野）を有してもよい。
【０１３３】
様々な実施形態によれば、色度図１０２は約２センチメートル（ｃｍ）から約２０ｃｍ、例えば約５ｃｍから約１０ｃｍ、例えば約８．５ｃｍ、の範囲の第１長さ１４０１を有してもよい。様々な実施形態によれば、色度図１０２は第１長さ１４０１に垂直な、約２センチメートル（ｃｍ）から約２０ｃｍ、例えば約３ｃｍから約１０ｃｍ、例えば約５．５ｃｍ、の範囲の第２長さ１４０３を有してもよい。
【０１３４】
様々な実施形態によれば、閉位置のヘアクリップ装置１０６は少なくとも部分的に（部分的にまたは完全に）認識領域１０４を覆ってもよい。例えばヘアクリップ装置１０６（またはその脚部１０６ｓ）は閉位置で完全に認識領域１０４を覆う（はっきりと櫂状の）広くなった端部を有してもよい。
【０１３５】
様々な実施形態によれば、認識領域１０４は多角形断面（例えば正方形）を有してもよい。あるいは、認識領域１０４は円形断面を有してもよい。
【０１３６】
様々な実施形態によれば、色度図１０２は湾曲していてもよい。従ってこれを例えば人１３０８の頭部形状に適合させることができる。
【０１３７】
様々な実施形態によれば、色度図１０２はポリマーを有してもよい、またはポリマーから形成してもよい。ポリマーは以下の少なくとも１つを有してもよい、または以下の少なくとも１つから形成してもよい。ゴム（例えば合成ゴムおよび／または天然ゴム）、（例えばフェノール樹脂により形成された）フェノプラスト、ネオプレン、ナイロン、塩化ポリビニル（ＰＶＣ）、ポリスチレン、ポリエチレン、ポリプロピレン、ポリアクリロニトリル、ポリエチレンテレフタレート（ＰＥＴ）、ポリビニルブチラール、シリコーン等。あるいはまたは加えて、色度図１０２はパルプを有してもよい、またはパルプ、例えば厚紙、から形成してもよい。任意に、色度図１０２をコーティングしてもよい。
【図１Ａ】
2019514004.tif 000003
【図１Ｂ】
2019514004.tif 000004
【図２Ａ】
2019514004.tif 000005
【図２Ｂ】
2019514004.tif 000006
【図３Ａ】
2019514004.tif 000007
【図３Ｂ】
2019514004.tif 000008
【図４Ａ】
2019514004.tif 000009
【図４Ｂ】
2019514004.tif 000010
【図５Ａ】
2019514004.tif 000011
【図５Ｂ】
2019514004.tif 000012
【図５Ｃ】
2019514004.tif 000013
【図６】
2019514004.tif 000014
【図７】
2019514004.tif 000015
【図８】
2019514004.tif 000016
【図９】
2019514004.tif 000017
【図１０】
2019514004.tif 000018
【図１１】
2019514004.tif 000019
【図１２】
2019514004.tif 000020
【図１３】
2019514004.tif 000021
【図１４Ａ】
2019514004.tif 000022
【図１４Ｂ】
2019514004.tif 000023
【図１５】
2019514004.tif 000024
【国際調査報告】
2019514004.tif 000025
2019514004.tif 000026
2019514004.tif 000027
2019514004.tif 000028
2019514004.tif 000029
2019514004.tif 000030